(57)【要約】【課題】記録媒体に記録された複数種類の画像データの中から所望の種類の画像データを簡単にバックアップすることができる制御プログラム及び記録装置の提供。【解決手段】コンピュータを、全ての画像データをバックアップするか、縮小画像データのみをバックアップするかをユーザに選択させる選択画面を表示手段１２に表示させる選択手段１５、予め定められたルールに従って作成されたフォルダ構成やフォルダ名称に基づいて特定される記録媒体の記録構造を判別する記録構造判別手段１６、該記録構造を参照して選択された種類の画像データを特定し、特定された画像データをハードディスクなどの記録手段１８に記録する記録制御手段１７として機能させるものであり、ユーザは選択画面上で選択するのみで記録媒体に記録された所望の種類の画像データをハードディスクなどにバックアップすることができる。【選択図】図５
2005235190.tif 000002
【特許請求の範囲】
【請求項１】
コンピュータを、少なくとも、
記録媒体に記録された複数種類の画像データの中から１又は複数種類の画像データを選択させるための選択画面を表示手段に表示させる手段、
記録媒体の記録構造を判別する手段、
前記記録構造を参照して、前記選択された種類の画像データを特定し、該特定された画像データを予め定められた記録手段に記録させる手段、として機能させることを特徴とする制御プログラム。
【請求項２】
前記記録構造とは、前記画像データを格納するフォルダの階層構造又は該フォルダの名称に基づいて特定される構造であることを特徴とする請求項１記載の制御プログラム。
【請求項３】
前記複数種類の画像データは、撮影手段で撮影して得られた元画像データ又は、写真フィルム又は写真プリントをスキャンして得られた元画像データと、該元画像データのデータサイズを縮小して作成された縮小画像データとを含むことを特徴とする請求項１又は２に記載の制御プログラム。
【請求項４】
前記選択画面では、少なくとも、前記元画像データ及び前記縮小画像データの双方と、前記縮小画像データのみとが選択可能に表示されることを特徴とする請求項３記載の制御プログラム。
【請求項５】
記録媒体に記録された複数種類の画像データの中から１又は複数種類の画像データを選択させるための選択画面を表示手段に表示させる手段と、
前記記録媒体の記録構造を判別する手段と、
前記記録構造を参照して、前記選択された種類の画像データを特定し、該特定された画像データを予め定められた記録手段に記録させる手段とを少なくとも備えることを特徴とする記録装置。
【請求項６】
前記記録構造とは、前記画像データを格納するフォルダの階層構造又は該フォルダの名称に基づいて特定される構造であることを特徴とする請求項５記載の記録装置。
【請求項７】
前記複数種類の画像データは、撮影手段で撮影して得られた元画像データ又は、写真フィルム又は写真プリントをスキャンして得られた元画像データと、該元画像データのデータサイズを縮小して作成された縮小画像データとを含むことを特徴とする請求項５又は６に記載の記録装置。
【請求項８】
前記選択画面では、少なくとも、前記元画像データ及び前記縮小画像データの双方と、前記縮小画像データのみとが選択可能に表示されることを特徴とする請求項７記載の記録装置。
【発明の詳細な説明】
【技術分野】
【０００１】
本発明は、画像データをバックアップするための制御を行う制御プログラム及び記録装置に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った元の画像データのデータサイズを縮小したサムネイル画像データやスクリーンネイル画像データなどの縮小画像データを作成し、元の画像データと縮小画像データとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
上記サービスを利用することにより、デジタルカメラやメディア等に記録された画像データやデータサイズを縮小した縮小画像データなどが記録された記録媒体に入手することができるが、これらの画像データを閲覧するためには、その都度記録媒体をパーソナルコンピュータなどのコンピュータ機器に装填して該画像データを読み込まなければならず、操作が煩雑であり表示するまでに時間を要し、また、頻繁に記録媒体を着脱すると記録媒体に傷が付いてしまう等によって画像データの読み出しができなくなってしまう場合もある。
【０００７】
そのため、ユーザによっては、記録媒体に記録した画像データを更にコンピュータ機器のハードディスクなどにバックアップする場合もあるが、画像データの保存を目的とするのであれば、記録媒体に記録された全ての画像データ（例えば、元の画像データと縮小画像データ）をバックアップすることが好ましく、また、画像データの表示を目的とするのであれば、記録媒体に記録された画像データの内、スクリーンネイル画像データなどの表示に適した形態にデータサイズを縮小した縮小画像データのみをバックアップすればよく、その目的によってバックアップの対象となる画像データが異なってくる。また、データサイズの大きい元の画像データを記録すると記録装置に予め設けられた記録手段を占有してしまうため、記録手段の容量が大きくない場合は、縮小画像データのみをバックアップすることが好ましい。
【０００８】
このように状況に応じてバックアップの対象となる画像データの種類が異なるが、特定の種類の画像データをバックアップする場合、従来は、所定のプログラム（例えば、ウィンドウズ（登録商標）のエクスプローラなど）を用いてユーザ自らが記録媒体に記録された画像データの記録構造（フォルダ構成やフォルダ名称など）を調べ、この記録構造を参照して所望の種類の画像データを特定してバックアップを行わなければならず、操作が煩雑である。特に、コンピュータ機器の操作に不慣れなユーザにこのような作業を求めるのは酷であり、簡単に所望の画像データをバックアップすることができないという問題があった。
【０００９】
本発明は、上記問題点に鑑みてなされたものであって、その主たる目的は、記録媒体に記録された複数種類の画像データの中から所望の種類の画像データを簡単にバックアップすることができる制御プログラム及び記録装置を提供することにある。
【課題を解決するための手段】
【００１０】
上記目的を達成するため、本発明の制御プログラムは、コンピュータを、少なくとも、記録媒体に記録された複数種類の画像データの中から１又は複数種類の画像データを選択させるための選択画面を表示手段に表示させる手段、記録媒体の記録構造を判別する手段、前記記録構造を参照して、前記選択された種類の画像データを特定し、該特定された画像データを予め定められた記録手段に記録させる手段、として機能させるものである。
【００１１】
本発明においては、前記記録構造とは、前記画像データを格納するフォルダの階層構造又は該フォルダの名称に基づいて特定される構造とすることができる。
【００１２】
また、本発明においては、前記複数種類の画像データは、撮影手段で撮影して得られた元画像データ又は、写真フィルム又は写真プリントをスキャンして得られた元画像データと、該元画像データのデータサイズを縮小して作成された縮小画像データとを含むことが好ましく、前記選択画面では、少なくとも、前記元画像データ及び前記縮小画像データの双方と、前記縮小画像データのみとが選択可能に表示される構成とすることができる。
【００１３】
また、本発明の記録装置は、記録媒体に記録された複数種類の画像データの中から１又は複数種類の画像データを選択させるための選択画面を表示手段に表示させる手段と、前記記録媒体の記録構造を判別する手段と、前記記録構造を参照して、前記選択された種類の画像データを特定し、該特定された画像データを予め定められた記録手段に記録させる手段とを少なくとも備えるものである。
【００１４】
このように、本発明によれば、メニュー画面で画像データのバックアップが選択されると、記録媒体に記録された画像データの内のどの種類の画像データをバックアップするのかを選択させる選択画面を表示手段に表示させ、予め定められたルールに従って生成されたフォルダの構成やフォルダの名称などに基づいて特定される記録構造を参照して、選択された種類の画像データを特定し、該画像データを自動的にハードディスク等の記録手段にバックアップを行う。従って、ユーザ自らが所定のプログラムを用いて記録媒体の記録構造を調べて所望の種類の画像データを特定する必要がなくなり、所望の種類の画像データを簡単に記録装置の記録手段にバックアップすることができる。
【発明の効果】
【００１５】
本発明の制御プログラム及び記録装置によれば、ユーザ自らが所定のプログラムを用いて記録媒体の記録構造を調べて所望の種類の画像データを特定する必要がなく、所望の種類の画像データを簡単に記録装置の記録手段にバックアップすることができる。
【００１６】
その理由は、本発明の記録装置では、特定種類の記録媒体が装填されるとメニュー画面を表示し、メニュー画面で画像データのバックアップが選択されると、記録媒体に記録された画像データの内のどの種類の画像データをバックアップするのかを選択させる選択画面を表示手段に表示し、予め定められたルールに従って生成されたフォルダの構成やフォルダの名称などに基づいて特定される記録構造を参照して選択された種類の画像データを特定し、特定された画像データを自動的に予め指定されたハードディスク等の記録手段にバックアップする制御が行われるからである。
【発明を実施するための最良の形態】
【００１７】
本発明に係る制御プログラムは、その好ましい一実施の形態において、コンピュータを、全ての画像データ（例えば、元画像データ、サムネイル画像データ、スクリーンネイル画像データ）をバックアップするか、縮小画像データ（例えば、サムネイル画像データ、スクリーンネイル画像データ）のみをバックアップするかをユーザに選択させる選択画面を表示手段に表示させる手段、予め定められたルールに従って作成されたフォルダの構成やフォルダの名称に基づいて特定される記録媒体の記録構造を判別する手段、該記録構造を参照して選択された種類の画像データを特定し、特定された画像データをハードディスクなどの記録手段に記録する手段として機能させるものであり、ユーザは選択画面上で選択するのみで、記録媒体に記録された所望の種類の画像データを記録装置のハードディスクなどにバックアップすることができる。
【実施例】
【００１８】
上記実施形態について詳細に説明すべく、本発明の一実施例に係る制御プログラム及び記録装置について、図１乃至図１３を参照して説明する。図１は、本発明の一実施例に係る記録媒体作成装置及び記録装置の構成を模式的に示す図であり、図２乃至図４は、記録装置の他の構成を模式的に示す図である。また、図５は、記録装置の機能を示すブロック図であり、図６は、本実施例に係る記録媒体の作成手順を示すフローチャート図、図７は、本実施例に係る画像データのバックアップ手順を示すフローチャート図である。また、図８乃至図１０は、画像データの記録構造を示す図であり、図１１及び図１２は、記録装置の表示手段に表示される画面の構成例を示す図である。また、図１３は、記録媒体（ＣＤ−Ｒ）の構造を模式的に示す図である。
【００１９】
図１に示すように、本実施例のシステムは、画像データ（静止画像データ、動画データ、画像情報を含むデータなど）を記録媒体９に記録する記録媒体作成装置１と、該記録媒体９に記録されている全ての画像データ又は該画像データのデータサイズ等を縮小して作成したサムネイル画像データやスクリーンネイル画像データなど（以下、これらを総称して縮小画像データと呼ぶ。）をハードディスク等の記録手段に記録する記録装置１０とを少なくとも備えている。
【００２０】
また、記録媒体作成装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク２２を介してサーバ２１から画像データをダウンロードするネットワーク接続部等のデータ入力手段と、メディア８やデジタルカメラ７から読み取った、又はサーバ２１からダウンロードした画像データや該画像データのデータサイズを縮小した縮小画像データ、該画像データをＤＶＤプレーヤやＤＶＤレコーダ、ゲーム機などで再生可能な形式に変換された画像データなどが記録されるＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。なお、図１では記録媒体作成装置１として写真店やコンビニエンスストアなどの店舗に設置される無人端末（キオスク）を示しているが、記録媒体作成装置１の形態は任意であり、入力手段や記録手段を備えた専用のセットトップボックスやポータブルライター、パソコンなどとしてもよい。
【００２１】
また、本実施例の記録装置１０は、上記記録媒体９を装填する記録媒体装填部１１ａや後述する選択手段、記録構造判別手段、記録制御手段などを備える本体１１と、メニュー画面や選択画面などを表示するモニタ等の表示手段１２と、選択操作を行う操作手段１３とを備えている。なお、図１では記録装置１０としてパソコンを用いる場合を示しているが、記録装置１０の形態は任意であり、例えば、ＨＤＤなどの記録手段を備えるホームサーバとしたり、図２に示すように、ＨＤＤレコーダやＤＶＤレコーダ、ゲーム機としたり、図３に示すように専用のセットトップボックスとしたり、図４に示すようにポータブルライターとしたり、ハードディスクを備えた端末と画像データの読み取りや書き込みを行う本体とが分離可能な携帯機器としたり、演算処理機能を備えたカーナビゲーション機器などとすることもできる。
【００２２】
上記記録装置１０の機能をブロック図で示すと図５のようになる。すなわち、記録媒体装填部１１ａ等を用いて記録媒体９に記録された画像データを入力する画像データ入力手段１４と、表示手段１２や操作手段１３などを制御してメニュー画面や選択画面を表示し、ユーザにバックアップする画像データの種類を選択させる選択手段１５と、予め定められたルールに従って記録媒体９に生成されたフォルダの構成やフォルダの名称などに基づいて特定される記録媒体９の記録構造を判別する記録構造判別手段１６と、該記録構造を参照して選択された種類の画像データを内蔵又は外付けのハードディスク等の記録手段１８に記録する制御を行う記録制御手段１７とを備えている。なお、上記各手段は記録装置１０にハードウェアとして構成されていてもよいが、コンピュータを、少なくとも選択手段１５、記録構造判別手段１６、記録制御手段１７として機能させる制御プログラムとして構成し、該プログラムを記録装置１０にインストールして実行する構成とすることもできる。
【００２３】
次に、記録媒体９に記録された画像データをバックアップする手順について説明する前に、上記記録媒体作成装置１を用いて記録媒体９に複数種類の画像データを記録する手順について、図６のフローチャート図を参照して説明する。
【００２４】
まず、ステップＳ１０１で、記録媒体作成装置１のメディア装填部２にメディア８を装填、又は、機器接続部３にデジタルカメラ７やカメラ付き携帯電話機７ａを接続、又はネットワーク接続部を通信ネットワーク２２に接続すると共に、記録媒体装填部４に記録媒体９を装填する。次に、ステップＳ１０２で、デジタルカメラ７やメディア８の所定のエリアに格納された画像データやサーバ２１に記録された画像データを読み取る。
【００２５】
次に、ステップＳ１０３で、読み取った画像データ（元画像データ）のデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができるが、縮小画像データを有効に利用するためには記録装置１０のモニタの解像度以上の画素数、又は、サービス版程度の写真プリントを作成できる程度の画素数を備えていることが好ましい。
【００２６】
次に、ステップＳ１０４で、必要に応じて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００２７】
次に、ステップＳ１０５で、データ転送手段を用いて、変換された動画データや関連付けファイル等（以下、これらを総称して画像再生機器用データと呼ぶ。）を予め設けた書き込み用の所定のフォルダに転送した後、データ記録手段を用いて、該フォルダから画像再生機器用データを読み出して、記録媒体９の論理アドレス領域の内側に記録する。なお、上記論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まない領域である。その後、ステップＳ１０６で、データ記録手段を用いて、コンピュータ機器用のデータの記録を行う前に、必要に応じて、画像再生機器で使用可能なデータの領域を区分するために一旦セッションをクローズする。
【００２８】
次に、ステップＳ１０７で、データ転送手段を用いて、入力された画像データや作成された縮小画像データ、画像データに基づいてスライドショーを再生するためのアプリケーション、スライドショーの設定ファイル等（以下、これらを総称してコンピュータ機器用データと呼ぶ。）を予め設けた書き込み用の所定のフォルダに転送した後、データ記録手段を用いて、該フォルダからコンピュータ機器用データを読み出して、記録媒体９に先に記録された画像再生機器用データの外側に記録して一連の書き込み処理を終了する。
【００２９】
上記手順で作成された記録媒体９の記録構造は、例えば、図８（ａ）に示すようになり、所定のフォルダに格納された元の画像データ、サムネイル画像データ、スクリーンネイル画像データ、各種画像データと記録媒体９とを関連付けるアルバム情報などが記録された情報ファイル（info.txt）、スライドショープログラムなどのアプリケーション、スライドショーの設定ファイル、自動再生のためのファイルなどでコンピュータ機器用データが構成され、Ｖｉｄｅｏ−ＣＤ形式のデータを生成した場合は、画像データをＶｉｄｅｏ−ＣＤ形式用データ等として関連付けるファイルを格納するフォルダ（ＶＣＤ）、ＴＶ画面に表示する画像データを格納するフォルダ（ＳＥＧＭＥＮＴ）、動画データを格納するフォルダ（ＭＰＥＧＡＶ）、ＴＶ画面に静止画像データを表示するためのアプリケーションなどを格納するフォルダ（ＤＡＴ）などで画像再生機器用データが構成される。また、ＤＶＤ−Ｖｉｄｅｏ形式のデータを生成した場合は、図８（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで画像再生機器用データが構成される。
【００３０】
なお、元画像データや縮小画像データの記録構造は任意であるが、画像データを記録装置１０などにバックアップした場合における管理を容易にするために、予め定められたルールに従ってフォルダを構成し、そのフォルダにユニークな名称を付与してもよい。例えば、図８に示すように、画像データの格納場所を示すフォルダ（ＰＳフォルダ）の下位の階層にメディア８毎、機器毎、フィルム毎の画像データの格納場所を示すフォルダ（ＲＯフォルダ）を作成し、その中に元画像データを格納すると共に、その下位の階層にサムネイル画像データの格納場所を示すフォルダ（ＴＨＭフォルダ）やスクリーンネイル画像データの格納場所を示すフォルダ（ＳＣＲＥＥＮフォルダ）を作成する構成とすることができる。
【００３１】
また、メディア８毎、機器毎、フィルム毎のフォルダの名称が重複しないように、ＲＯフォルダの名称を”ROYYMMDDyyy_XXXXXXAABxxx”（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などとしたり、各々のデータをCCYYMMDDxxxxxx（CC：データの種別、YYMMDD：書き込み年月日を特定する数字、xxxx：シーケンシャル番号）などとしてもよい。
【００３２】
次に、上記記録媒体作成装置１で作成された記録媒体９に記録された画像データを記録装置１０にバックアップする手順について、図７のフローチャート図を参照して説明する。
【００３３】
まず、ステップＳ２０１で、記録媒体９を記録装置１０の記録媒体装填部１１ａに挿入すると、ステップＳ２０２で、所定のプログラムが起動し、記録媒体９に予め定められた識別情報（例えば、YYMDyyyXXXXXXAABなど）が記録されているかを調べる。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータのバックアップを許可するために設けるものであり、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ）による情報などとすることが好ましい。
【００３４】
ここで、一般的な記録媒体９の構造について、図１３を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３５】
そして、識別情報が記録されている場合、選択手段１５は表示手段１２に図１１に示すようなメニュー画面１９を表示させる。このメニュー画面１９には、記録媒体９に記録された画像データを用いて行うことができる処理（例えば、画像データのバックアップ、スライドショー表示、写真プリントの作成など）の一覧が選択可能に表示される。
【００３６】
次に、ステップＳ２０３で、ユーザが表示手段１２をタッチしたり操作手段１３を用いてクリックして、メニュー画面１９の中からバックアップの項目を選択すると、ステップＳ２０４で、選択手段１５は表示手段１２に図１２に示すようなバックアップする画像データの種類を選択可能に表示する選択画面２０を表示させる。この選択画面２０はバックアップする画像データの種類を複数の選択肢の中から選択できる構成であればよく、図１２では、全ての画像データ（元画像データ、サムネイル画像データ、スクリーンネイル画像データ）又は縮小画像データ（サムネイル画像データ、スクリーンネイル画像データ）の２つを表示する場合を示しているが、これらの項目以外に、元画像データのみをバックアップする項目やスクリーンネイル画像データのみをバックアップする項目、画像再生機器用のデータを含めた全データをバックアップする項目などを設けることもできる。
【００３７】
次に、ステップＳ２０５で、ユーザが同様に表示手段１２をタッチしたり操作手段１３を用いてクリックして、選択画面２０の中からバックアップを希望する画像データの種類を選択する。
【００３８】
全ての画像データのバックアップを選択した場合は、ステップＳ２０６で、記録構造判別手段１６を用いて記録媒体９の記録構造を判別し、ステップＳ２０７で、記録制御手段１７を用いて、記録媒体９に記録された画像データ（例えば、図８の構成の場合はＲＯフォルダに格納された元の画像データとＴＨＭフォルダに格納されたサムネイル画像データとＳＣＲＥＥＮフォルダに格納されたスクリーンネイル画像データ）を記録媒体９から読み取り、ステップＳ２０８で、これらの画像データを内蔵又は外付けのハードディスク等の記録手段１８に記録する制御を行う。また、画像データをバックアップする際に、各種画像データと記録媒体９とを関連付けるアルバム情報などが記録された情報ファイル（info.txt）を記録してもよい。
【００３９】
ここで、これらの画像データを記録手段１８に記録する際の記録構造も任意であるが、記録媒体９から読み取った画像データの管理を容易にするために、図９（ａ）に示すように記録媒体９の記録構造を維持して記録することが好ましい。また、複数の記録媒体９の画像データをバックアップする場合にこれらの画像データを管理しやすくするために、図９（ｂ）に示すようにＰＳフォルダの上位の階層に、移住してきた画像データの格納場所を示すフォルダ（PSYYMMDDyyy_XXXXXXAAB）などを作成してもよい。
【００４０】
また、縮小画像データのみのバックアップを選択した場合は、ステップＳ２０９で記録構造判別手段１６を用いて記録媒体９の記録構造を判別し、ステップＳ２１０で、記録制御手段１７を用いて、記録媒体９に記録された縮小画像データ（図８の構成の場合はＴＨＭフォルダに格納されたサムネイル画像データとＳＣＲＥＥＮフォルダに格納されたスクリーンネイル画像データ）を記録媒体９から読み取り、ステップＳ２１１で、縮小画像データを内蔵又は外付けのハードディスク等の記録手段１８に記録する制御を行う。また、画像データをバックアップする際に、上記情報ファイル（info.txt）を記録してもよく、情報ファイルを利用することによって、必要な時に元の画像データにアクセス可能となるため便利である。
【００４１】
この場合においても、これらの画像データを記録手段１８に記録する際の記録構造も任意であるが、記録媒体９から読み取った画像データの管理を容易にするために、図１０（ａ）に示すように記録媒体９の記録構造を維持して記録してもよいし、複数の記録媒体９の画像データをバックアップする場合にこれらの画像データを管理しやすくするために、図１０（ｂ）に示すようにＰＳフォルダの上位の階層に、移住してきた画像データの格納場所を示すフォルダ（PSYYMMDDyyy_XXXXXXAAB）などを作成してもよい。
【００４２】
このように、本実施例の制御プログラム及び記録装置１０では、特定の記録媒体９が装填されるとメニュー画面１９を表示し、メニュー画面１９中のバックアップが選択されると、全ての画像データをバックアップするのか、縮小画像データのみをバックアップするのかなどをユーザに選択させる選択画面２０を表示手段１２に選択可能に表示し、予め定められたルールに従って生成されたフォルダの構成やフォルダの名称などに基づいて特定される記録構造を参照して、選択された種類の画像データを特定し、特定した画像データを記録装置１０のハードディスク等の指定された記録手段１８に記録するため、ユーザ自らが記録媒体９のフォルダ構造を調べて、その中から所望の種類の画像データを特定する必要がなくなり、コンピュータ機器の操作に不慣れなユーザであっても所望の画像データを簡単にバックアップすることができる。
【００４３】
なお、上記各実施例では、画像データのみをバックアップする場合について示したが、本発明は上記実施例に限定されるものではなく、音楽付きスライドショーや音楽付き動画を再生するために記録媒体９に音楽データを記録する場合は、この音楽データも画像データと共にバックアップすることもできる。その場合は、例えば、全画像データを選択した場合にのみ音楽データをバックアップする構成としたり、画像データの種類の選択にかかわらず、音楽データはバックアップする構成とすることもできる。
【図面の簡単な説明】
【００４４】
【図１】本発明の一実施例に係る記録媒体作成装置及び記録装置の構成を示す外観図である。
【図２】本発明の一実施例に係る記録装置の他の構成を示す外観図である。
【図３】本発明の一実施例に係る記録装置の他の構成を示す外観図である。
【図４】本発明の一実施例に係る記録装置の他の構成を示す外観図である。
【図５】本発明の一実施例に係る記録装置の機能を示すブロック図である。
【図６】本発明の一実施例に係る記録媒体作成装置を用いた情報記録媒体の作成手順を示すフローチャート図である。
【図７】本発明の一実施例に係る記録装置を用いた画像データのバックアップ手順を示すフローチャート図である。
【図８】本発明の一実施例の記録媒体における画像データの記録構造を示す図である。
【図９】本発明の一実施例の記録装置における画像データの記録構造（全画像データを選択した場合）を示す図である。
【図１０】本発明の一実施例の記録装置における画像データの記録構造（縮小画像データを選択した場合）を示す図である。
【図１１】本発明の一実施例に係る記録装置の表示手段に表示されるメニュー画面の構成例を示す図である。
【図１２】本発明の一実施例に係る記録装置の表示手段に表示される選択画面の構成例を示す図である。
【図１３】記録媒体（ＣＤ−Ｒ）の構造を模式的に示す図である。
【符号の説明】
【００４５】
１  記録媒体作成装置
２  メディア装填部
３  機器接続部
４  記録媒体装填部
５  表示部
６  操作部
７  デジタルカメラ
７ａ  カメラ付き携帯電話機
８  メディア
９  記録媒体
９ａ  ＩＤ情報記録手段
１０  記録装置
１１  本体
１１ａ  記録媒体装填部
１２  表示手段
１３  操作手段
１４  画像データ入力手段
１５  選択手段
１６  記録構造判別手段
１７  記録制御手段
１８  記録手段
１９  メニュー画面
２０  選択画面
２１  サーバ
２２  通信ネットワーク
１００  ポリカーボネート基板
１０１  有機色素層
１０２  反射層
１０３  保護層
【図１】
2005235190.tif 000003
【図２】
2005235190.tif 000004
【図３】
2005235190.tif 000005
【図４】
2005235190.tif 000006
【図５】
2005235190.tif 000007
【図６】
2005235190.tif 000008
【図７】
2005235190.tif 000009
【図８】
2005235190.tif 000010
【図９】
2005235190.tif 000011
【図１０】
2005235190.tif 000012
【図１１】
2005235190.tif 000013
【図１２】
2005235190.tif 000014
【図１３】
2005235190.tif 000015